(57)【要約】【課題】無線ＬＡＮ携帯端末を決裁管理サーバやインターネットに接続することができ、無線ＬＡＮ携帯端末に対して種々のサービスを提供することができる無線ＬＡＮ携帯端末システムを提供することを目的とする。【解決手段】無線ＬＡＮ等の無線通信インフラに対応しユーザコードを発信できる無線ＬＡＮ携帯端末１、２と、屋内または屋外に設置され無線ＬＡＮ携帯端末８がアクセスする複数の無線ＬＡＮアクセスポイント３、４と、接続管理等を行う決裁管理サーバ５と、無線ＬＡＮアクセスポイント３、４と決裁管理サーバ５とが接続された通信インフラ１３と、通信インフラ１３とインターネット７とを接続すると共にデータの流れを制御するルータ６とを有する。【選択図】　図１
2004015273.tif 000002
【特許請求の範囲】
【請求項１】
無線ＬＡＮ等の無線通信インフラに対応しユーザコードを発信できる無線ＬＡＮ携帯端末と、屋内または屋外に設置され無線ＬＡＮ携帯端末がアクセスする複数の無線ＬＡＮアクセスポイントと、接続管理等を行う決裁管理サーバと、前記無線ＬＡＮアクセスポイントと前記決裁管理サーバとが接続された通信インフラと、前記通信インフラとインターネットとを接続すると共にデータの流れを制御するルータとを有することを特徴とする無線ＬＡＮ携帯端末システム。
【請求項２】
前記無線ＬＡＮ携帯端末と前記無線ＬＡＮアクセスポイントとは互いにランダムなフレーズを送受信し、前記無線ＬＡＮ携帯端末と前記ルータとは互いに固有のＩＤを付加したパケットデータを送受信し、前記決裁管理サーバは、前記複数の無線ＬＡＮアクセスポイントの各々でパケット量を集計して一括管理することを特徴とする請求項１に記載の無線ＬＡＮ携帯端末システム。
【請求項３】
前記無線ＬＡＮアクセスポイントを有料施設の出入口に設置し、前記無線ＬＡＮアクセスポイントが発信しているデータの中に固有コードを格納し、前記無線ＬＡＮ携帯端末は前記発信しているデータを受信した際に画面上に前記受信したデータの示す料金支払い案内を表示することを特徴とする請求項１または２に記載の無線ＬＡＮ携帯端末システム。
【請求項４】
前記無線ＬＡＮアクセスポイントは、施設内に設置され、前記施設内に入ってきた前記無線ＬＡＮ携帯端末に対して施設情報を送出し、前記無線ＬＡＮ携帯端末は前記施設情報の示す案内メニュー画面を表示することを特徴とする請求項１乃至３のいずれか１に記載の無線ＬＡＮ携帯端末システム。
【請求項５】
前記インターネット上に設置された緊急情報配信サーバを備え、前記緊急情報配信サーバは送出するデータに固有コードを格納し、前記ルータは、前記固有コードが格納されたデータを認識すると、前記無線ＬＡＮアクセスポイントへ前記固有コードが格納されたデータを送信し、前記無線ＬＡＮ携帯端末は、前記固有コードが格納されたデータを受信すると、前記受信したデータの示す最優先アラートを行うことを特徴とする請求項１乃至４のいずれか１に記載の無線ＬＡＮ携帯端末システム。
【請求項６】
前記無線ＬＡＮ携帯端末は、電話帳情報などの情報を前記無線ＬＡＮアクセスポイント経由で他の無線ＬＡＮ携帯端末に転送することを特徴とする請求項１乃至５のいずれか１に記載の無線ＬＡＮ携帯端末システム。
【請求項７】
インターネット上に設置された公営ギャンブル情報配信サーバを備え、前記公営ギャンブル情報配信サーバは、レースの模様をＭＰＥＧ等の形式で送出したり、オッズ情報を送出し、前記決裁管理サーバは、公営ギャンブルサービスに加入しているサービスが前記無線ＬＡＮ携帯端末で接続されていると認識した場合、前記ルータで公営ギャンブル情報を通過させることを特徴とする請求項１乃至６のいずれか１に記載の無線ＬＡＮ携帯端末システム。
【請求項８】
前記無線ＬＡＮ携帯端末は、ＰＤＣ／ｃｄｍａプラスＰＨＳの機能が付加されたことを特徴とする請求項１乃至７のいずれか１に記載の無線ＬＡＮ携帯端末システム。
【発明の詳細な説明】
【０００１】
【発明の属する技術分野】
本発明は、屋内外で使用可能な無線ＬＡＮや無線ＡＤＳＬなどの無線通信インフラに対応させた無線ＬＡＮ携帯端末がインターネット等とデータ通信を行うための無線ＬＡＮ携帯端末システムに関するものである。
【０００２】
【従来の技術】
従来、ＰＤＣやＰＨＳなどで実現されている携帯電話システムでは、通信帯域が狭いため、固定式の端末で行えるようなブロードバンドサービスよりも、メールの送受信や簡易ブラウジングサービスに重きをおいていた。
【０００３】
【発明が解決しようとする課題】
しかしながら、自宅やオフィスで無線ＬＡＮによってブロードバンドサービスが利用できる環境が整ってくると、今度はモバイル環境でのブロードバンドサービスがさらに期待されてくるが、従来の無線系通信インフラでは無線ＬＡＮのメリットは生かせないという問題点を有していた。
【０００４】
この無線ＬＡＮ携帯端末システムでは、無線ＬＡＮアクセスポイントと決裁管理サーバとを通信インフラに接続し、この通信インフラとインターネットとをルータを介して接続することにより、無線ＬＡＮ携帯端末を決裁管理サーバやインターネットに接続することができることが要求されている。
【０００５】
本発明は、無線ＬＡＮ携帯端末を決裁管理サーバやインターネットに接続することができ、無線ＬＡＮ携帯端末に対して種々のサービスを提供することができる無線ＬＡＮ携帯端末システムを提供することを目的とする。
【０００６】
【課題を解決するための手段】
この課題を解決するために本発明の無線ＬＡＮ携帯端末システムは、無線ＬＡＮ等の無線通信インフラに対応しユーザコードを発信できる無線ＬＡＮ携帯端末と、屋内または屋外に設置され無線ＬＡＮ携帯端末がアクセスする複数の無線ＬＡＮアクセスポイントと、接続管理等を行う決裁管理サーバと、無線ＬＡＮアクセスポイントと決裁管理サーバとが接続された通信インフラと、通信インフラとインターネットとを接続すると共にデータの流れを制御するルータとを有する構成を備えている。
【０００７】
これにより、無線ＬＡＮ携帯端末を決裁管理サーバやインターネットに接続することができ、無線ＬＡＮ携帯端末に対して種々のサービスを提供することができる無線ＬＡＮ携帯端末システムが得られる。
【０００８】
【発明の実施の形態】
本発明の請求項１に記載の無線ＬＡＮ携帯端末システムは、無線ＬＡＮ等の無線通信インフラに対応しユーザコードを発信できる無線ＬＡＮ携帯端末と、屋内または屋外に設置され無線ＬＡＮ携帯端末がアクセスする複数の無線ＬＡＮアクセスポイントと、接続管理等を行う決裁管理サーバと、無線ＬＡＮアクセスポイントと決裁管理サーバとが接続された通信インフラと、通信インフラとインターネットとを接続すると共にデータの流れを制御するルータとを有することとしたものである。
【０００９】
この構成により、無線ＬＡＮ携帯端末が発信するユーザコードを屋内外に設置する無線ＬＡＮアクセスポイントを介して決裁管理サーバに送ることができるので、決裁管理サーバで通信が許可された場合は、ルータを介して無線ＬＡＮ携帯端末とインターネットとの間でデータ通信を行うことができるという作用を有する。
【００１０】
請求項２に記載の無線ＬＡＮ携帯端末システムは、請求項１に記載の無線ＬＡＮ携帯端末システムにおいて、無線ＬＡＮ携帯端末と無線ＬＡＮアクセスポイントとは互いにランダムなフレーズを送受信し、無線ＬＡＮ携帯端末とルータとは互いに固有のＩＤを付加したパケットデータを送受信し、決裁管理サーバは、複数の無線ＬＡＮアクセスポイントの各々でパケット量を集計して一括管理することとしたものである。
【００１１】
この構成により、ユーザコード等の認証情報を保護することができると共に集計し管理しているパケット量を種々の用途（例えば時間データとリンクさせて位置情報管理に用いること）に応用することができるので、無線ＬＡＮ携帯端末システムにおける認証レベルの向上を図ることができるという作用を有する。
【００１２】
請求項３に記載の無線ＬＡＮ携帯端末システムは、請求項１または２に記載の無線ＬＡＮ携帯端末システムにおいて、無線ＬＡＮアクセスポイントを有料施設の出入口に設置し、無線ＬＡＮアクセスポイントが発信しているデータの中に固有コードを格納し、無線ＬＡＮ携帯端末は発信しているデータを受信した際に画面上に受信したデータの示す料金支払い案内を表示することとしたものである。
【００１３】
この構成により、無線ＬＡＮ携帯端末が料金支払いを了承した場合、その了承の情報を決裁管理サーバに記録することができると共に、施設のゲートを開くことができるので、有料施設の課金および出入口制御を行うことが可能になるという作用を有する。
【００１４】
請求項４に記載の無線ＬＡＮ携帯端末システムは、請求項１乃至３のいずれか１に記載の無線ＬＡＮ携帯端末システムにおいて、無線ＬＡＮアクセスポイントは、施設内に設置され、施設内に入ってきた無線ＬＡＮ携帯端末に対して施設情報を送出し、無線ＬＡＮ携帯端末は施設情報の示す案内メニュー画面を表示することとしたものである。
【００１５】
この構成により、無線ＬＡＮ携帯端末にて適宜、メニューの選択またはキーワードの検索を行うことができ、詳細な案内情報を取得することができるので、施設情報がユーザのニーズに応じて適切に提供されるという作用を有する。
【００１６】
請求項５に記載の無線ＬＡＮ携帯端末システムは、請求項１乃至４のいずれか１に記載の無線ＬＡＮ携帯端末システムにおいて、インターネット上に設置された緊急情報配信サーバを備え、緊急情報配信サーバは送出するデータに固有コードを格納し、ルータは、固有コードが格納されたデータを認識すると、無線ＬＡＮアクセスポイントへ固有コードが格納されたデータを送信し、無線ＬＡＮ携帯端末は、固有コードが格納されたデータを受信すると、受信したデータの示す最優先アラートを行うこととしたものである。
【００１７】
この構成により、最優先アラートにより警告を受けた利用者は、無線ＬＡＮ携帯端末において情報を再生して、緊急情報を知ることができるので、例え屋外にいたとしても従来のラジオなどの機器を使う場合より多くの緊急情報を知ることができるという作用を有する。
【００１８】
請求項６に記載の無線ＬＡＮ携帯端末システムは、請求項１乃至５のいずれか１に記載の無線ＬＡＮ携帯端末システムにおいて、無線ＬＡＮ携帯端末は、電話帳情報などの情報を無線ＬＡＮアクセスポイント経由で他の無線ＬＡＮ携帯端末に転送することとしたものである。
【００１９】
この構成により、遠隔地の相手無線ＬＡＮ携帯端末に対して、特別なハードウェアなしで、自己の無線ＬＡＮ携帯端末のデータを転送することができるという作用を有する。
【００２０】
請求項７に記載の無線ＬＡＮ携帯端末システムは、請求項１乃至６のいずれか１に記載の無線ＬＡＮ携帯端末システムにおいて、インターネット上に設置された公営ギャンブル情報配信サーバを備え、公営ギャンブル情報配信サーバは、レースの模様をＭＰＥＧ等の形式で送出したり、オッズ情報を送出し、決裁管理サーバは、公営ギャンブルサービスに加入しているサービスが無線ＬＡＮ携帯端末で接続されていると認識した場合、ルータで公営ギャンブル情報を通過させることとしたものである。
【００２１】
この構成により、無線ＬＡＮ携帯端末でレースの模様やオッズ情報を再生することができるので、窓口の場合と同様に投票することができ、また、従来は移動しながら観戦や投票が出来なかった公営ギャンブル等の公共サービスの提供を容易に実現することができるという作用を有する。
【００２２】
請求項８に記載の無線ＬＡＮ携帯端末システムは、請求項１乃至７のいずれか１に記載の無線ＬＡＮ携帯端末システムにおいて、無線ＬＡＮ携帯端末は、ＰＤＣ／ｃｄｍａプラスＰＨＳの機能が付加されることとしたものである。
【００２３】
この構成により、まだ無線ＬＡＮサービスが行われていないエリアでは従来のインフラを使用することができるという作用を有する。
【００２４】
以下、本発明の実施の形態について、図１〜図５を用いて説明する。
【００２５】
（実施の形態１）
図１は、本発明の実施の形態１による無線ＬＡＮ携帯端末システムを示す構成図である。
【００２６】
図１において、１、２は無線ＬＡＮ等の無線通信インフラに対応する無線ＬＡＮ携帯端末、３、４は屋内外に広範囲に設置される無線ＬＡＮアクセスポイント、５は接続管理などを行う決裁管理サーバ、６は後述の通信インフラ１３とインターネット７とを結びデータの流れを制御するルータ、１３は無線ＬＡＮアクセスポイント３、４と決裁管理サーバ５とがつながるＬＡＮ、専用線、ＡＤＳＬなどの通信インフラである。
【００２７】
このように構成された無線ＬＡＮ携帯端末システムの動作を説明する。
【００２８】
ユーザが持つ無線ＬＡＮ携帯端末１、２には、無線ＬＡＮプロバイダが予め公開しているＳＳ−ＩＤ（Ｓｅｒｖｉｃｅ　Ｓｅｔ　Ｉｄｅｎｔｉｆｉｃａｔｉｏｎ）が登録されている。ユーザが無線ＬＡＮ携帯端末１でネットワークサービスに関わる操作をすると、その要求が含まれたデータとともに、クレジットカード番号などのユーザコードと無線ＬＡＮ携帯端末１固有の端末ＩＤとが無線ＬＡＮアクセスポイント３へ送信される。決裁管理サーバ５は、無線ＬＡＮアクセスポイント３経由で受信したデータを解析し、使用履歴データベースを更新するとともに、該当する端末ＩＤが含まれるパケットデータを通信インフラ１３とインターネット７との間で通過させる指令をルータ６に対してだす。このようにすることで、無線ＬＡＮの高速通信というメリットを維持しつつ、屋内外を問わない高速モバイル環境が得られる。
【００２９】
上述したことは無線ＬＡＮ携帯端末２の場合も同様である。すなわち、ユーザが無線ＬＡＮ携帯端末２でネットワークサービス関わる操作をすると、その要求が含まれたデータとともに、クレジットカード番号などのユーザコードと無線ＬＡＮ携帯端末２固有の端末ＩＤとが無線ＬＡＮアクセスポイント４へ送信される。決裁管理サーバ５は、無線ＬＡＮアクセスポイント４経由で受信したデータを解析し、使用履歴データベースを更新するとともに、該当する端末ＩＤが含まれるパケットデータを通信インフラ１３とインターネット７との間で通過させる指令をルータ６に対してだす。このようにすることで、無線ＬＡＮの高速通信というメリットを維持しつつ、屋内外を問わない高速モバイル環境が得られる。
【００３０】
次に、無線ＬＡＮ携帯端末１、２と無線ＬＡＮアクセスポイント３、４との間でやりとりされる認証情報の保護について説明する。
【００３１】
無線ＬＡＮ携帯端末１がクレジットカード番号などのユーザコードを送信する前に、無線ＬＡＮ携帯端末１でランダムに生成した暗号化パスフレーズＸＸＸを無線ＬＡＮアクセスポイント３へ送信する。無線ＬＡＮアクセスポイント３は、受信した暗号化パスフレーズＸＸＸで暗号化したランダムな暗号化パスフレーズＹＹＹを無線ＬＡＮ携帯端末１へ送信する。無線ＬＡＮ携帯端末１は受信した暗号化パスフレーズＹＹＹで暗号化したクレジットカード番号などのユーザコードを無線ＬＡＮアクセスポイント３に送る。このようにすることで無線ＬＡＮ携帯端末１と無線ＬＡＮアクセスポイント３との間の認証情報の保護が行える。
【００３２】
上述したことは無線ＬＡＮ携帯端末２についても同様である。すなわち、無線ＬＡＮ携帯端末２がクレジットカード番号などのユーザコードを送信する前に、無線ＬＡＮ携帯端末２でランダムに生成した暗号化パスフレーズＸＸＸを無線ＬＡＮアクセスポイント４へ送信する。無線ＬＡＮアクセスポイント４は、受信した暗号化パスフレーズＸＸＸで暗号化したランダムな暗号化パスフレーズＹＹＹを無線ＬＡＮ携帯端末２へ送信する。無線ＬＡＮ携帯端末２は受信した暗号化パスフレーズＹＹＹで暗号化したクレジットカード番号などのユーザコードを無線ＬＡＮアクセスポイント４に送る。このようにすることで無線ＬＡＮ携帯端末２と無線ＬＡＮアクセスポイント４との間の認証情報の保護が行える。
【００３３】
次に、本実施の形態を有料施設に適用する場合について説明する。この場合は無線ＬＡＮ携帯端末システムの構成は図１と同様である。
【００３４】
図１において、無線ＬＡＮアクセスポイント３を有料施設の出入口に設置する。その無線ＬＡＮアクセスポイント３が発信しているデータの中に固有コードを入れておくことで、無線ＬＡＮ携帯端末１がそれを受信した際に画面上に料金支払い案内を表示し、そこで料金支払いを了承することで料金支払いを了承したという情報が決裁管理サーバ５に記録されるとともに、施設のゲートを開閉する制御を行う。このようにすることでＥＴＣのような専用システムを用いなくてもＥＴＣと同等以上のサービスが得られる。
【００３５】
このことは無線ＬＡＮアクセスポイント４についても同様である。すなわち、図１において、無線ＬＡＮアクセスポイント４を有料施設の出入口に設置する。その無線ＬＡＮアクセスポイント４が発信しているデータの中に固有コードを入れておくことで、無線ＬＡＮ携帯端末２がそれを受信した際に画面上に料金支払い案内を表示し、そこで料金支払いを了承することで料金支払いを了承したという情報が決裁管理サーバ５に記録されるとともに、施設のゲートを開閉する制御を行う。このようにすることでＥＴＣのような専用システムを用いなくてもＥＴＣと同等以上のサービスが得られる。
【００３６】
次に、無線ＬＡＮ携帯端末１、２間の転送について説明する。
【００３７】
図１に示す無線ＬＡＮ携帯端末システムにおいて、同システムに無線ＬＡＮによって接続する無線ＬＡＮ携帯端末１と２の間で従来のインターネットでのｆｔｐ転送を用いることで、無線ＬＡＮ携帯端末１または２内の情報（電話帳データなど）を無線ＬＡＮアクセスポイント３または４経由で他の無線ＬＡＮ携帯端末２または１に転送する。このようにすることでハードウェアの追加なしで高速転送するサービスが得られる。
【００３８】
以上のように本実施の形態によれば、無線ＬＡＮ等の無線通信インフラに対応しユーザコードを発信できる無線ＬＡＮ携帯端末１、２と、屋内または屋外に設置され無線ＬＡＮ携帯端末１、２がアクセスする複数の無線ＬＡＮアクセスポイント３、４と、接続管理等を行う決裁管理サーバ５と、無線ＬＡＮアクセスポイント３、４と決裁管理サーバ５とが接続された通信インフラ１３と、通信インフラ１３とインターネット７とを接続すると共にデータの流れを制御するルータ６とを有することにより、無線ＬＡＮ携帯端末１、２が発信するユーザコードを屋内外に設置する無線ＬＡＮアクセスポイント３、４を介して決裁管理サーバ５に送ることができるので、決裁管理サーバ５で通信が許可された場合は、ルータ６を介して無線ＬＡＮ携帯端末１、２とインターネット７との間でデータ通信を行うことができる。
【００３９】
また、無線ＬＡＮ携帯端末１、２と無線ＬＡＮアクセスポイント３、４とは互いにランダムなフレーズを送受信し、無線ＬＡＮ携帯端末１、２とルータ６とは互いに固有のＩＤを付加したパケットデータを送受信し、決裁管理サーバ５は、複数の無線ＬＡＮアクセスポイント３、４の各々でパケット量を集計して一括管理することにより、ユーザコード等の認証情報を保護することができると共に集計し管理しているパケット量を種々の用途（例えば時間データとリンクさせて位置情報管理に用いること）に応用することができるので、無線ＬＡＮ携帯端末システム１、２における認証レベルの向上を図ることができる。
【００４０】
さらに、無線ＬＡＮアクセスポイント３、４を有料施設の出入口に設置し、無線ＬＡＮアクセスポイント３、４が発信しているデータの中に固有コードを格納し、無線ＬＡＮ携帯端末１、２は発信しているデータを受信した際に画面上に受信したデータの示す料金支払い案内を表示することにより、無線ＬＡＮ携帯端末１、２が料金支払いを了承した場合、その了承の情報を決裁管理サーバ５に記録することができると共に、施設のゲートを開くことができるので、有料施設の課金および出入口制御を行うことが可能になる。
【００４１】
さらに、無線ＬＡＮ携帯端末１は、電話帳情報などの情報を無線ＬＡＮアクセスポイント３、４経由で他の無線ＬＡＮ携帯端末２に転送することにより、遠隔地の相手無線ＬＡＮ携帯端末２に対して、特別なハードウェアなしで、自己の無線ＬＡＮ携帯端末１のデータを転送することができる。
【００４２】
（実施の形態２）
図２は、本発明の実施の形態１による無線ＬＡＮ携帯端末システムを示す構成図であり、情報検索を必要とするような施設に適用する場合を示す。
【００４３】
図２において、構成要素１〜７、１３は図１と同様のものなので、同一符号を付し、説明は省略する。８は施設情報を送出する施設案内サーバである。
【００４４】
無線ＬＡＮアクセスポイント３を施設内に設置し、施設内に入ってきた無線ＬＡＮ携帯端末１に対し、施設情報を施設案内サーバ８から送出し、案内メニュー画面を無線ＬＡＮ携帯端末１に表示し、無線ＬＡＮ携帯端末１にて適宜メニュー選択またはキーワード検索することにより、詳細な案内情報が表示される。このようにすることで移動しながら的確な施設情報が得られる。
【００４５】
このことは無線ＬＡＮアクセスポイント４についても同様である。すなわち、無線ＬＡＮアクセスポイント４を施設内に設置し、施設内に入ってきた無線ＬＡＮ携帯端末２に対し、施設情報を施設案内サーバ８から送出し、案内メニュー画面を無線ＬＡＮ携帯端末２に表示し、無線ＬＡＮ携帯端末２にて適宜メニュー選択またはキーワード検索することにより詳細な案内情報が表示される。このようにすることで移動しながら的確な施設情報が得られる。
【００４６】
以上のように本実施の形態によれば、無線ＬＡＮアクセスポイント３、４は、施設内に設置され、施設内に入ってきた無線ＬＡＮ携帯端末１、２に対して施設情報を送出し、無線ＬＡＮ携帯端末１、２は施設情報の示す案内メニュー画面を表示することにより、無線ＬＡＮ携帯端末１、２にて適宜、メニューの選択またはキーワードの検索を行うことができ、詳細な案内情報を取得することができるので、施設情報がユーザのニーズに応じて適切に提供される。
【００４７】
（実施の形態３）
図３は、本発明の実施の形態３による無線ＬＡＮ携帯端末システムを示す構成図であり、インターネット７上に緊急情報配信サーバを設置して運用する場合を示す。
【００４８】
図３において、構成要素１〜７、１３は図１と同様のものなので、同一符号を付し、説明は省略する。９は最優先アラートを無線ＬＡＮ携帯端末１、２に行わせるためのデータを送出する緊急情報配信サーバである。
【００４９】
図３において、インターネット７上に緊急情報配信サーバ９を設置する。その緊急情報配信サーバ９から送出されるデータには固有コードが含まれ、ルータ６でそのコードが含まれたデータを認識すると、無線ＬＡＮアクセスポイント３または４へ固有コード付きのデータを流し、無線ＬＡＮ携帯端末１または２がそのデータを受け取ると、そのデータの示す最優先アラート（画面表示、音送出、振動付加）を行い、情報を再生する。このようにすることで移動しながらさまざまな緊急情報を得られる。
【００５０】
以上のように本実施の形態によれば、インターネット７上に設置された緊急情報配信サーバ９を備え、緊急情報配信サーバ９は送出するデータに固有コードを格納し、ルータ６は、固有コードが格納されたデータを認識すると、無線ＬＡＮアクセスポイント３、４へ固有コードが格納されたデータを送信し、無線ＬＡＮ携帯端末１、２は、固有コードが格納されたデータを受信すると、受信したデータの示す最優先アラートを行うことにより、最優先アラートにより警告を受けた利用者は、無線ＬＡＮ携帯端末１、２において情報を再生して、緊急情報を知ることができるので、例え屋外にいたとしても従来のラジオなどの機器を使う場合より多くの緊急情報を知ることができる。
【００５１】
（実施の形態４）
図４は、本発明の実施の形態４による無線ＬＡＮ携帯端末システムを示す構成図であり、本システムを公営ギャンブルサービスに適用させる場合を示す。
【００５２】
図４において、構成要素１〜７、１３は図１と同様のものなので、同一符号を付し、説明は省略する。１０は公営ギャンブル情報を配信する公営ギャンブル情報配信サーバである。
【００５３】
図４において、インターネット７上に公営ギャンブル情報配信サーバ１０を設置し、レースの模様をＭＰＥＧ等の形式で送出したり、オッズ情報を送出する。無線ＬＡＮ携帯端末１または２で公営ギャンブルサービスに加入しているサービスが接続されていると決裁管理サーバ５で認識した場合、ルータ６で公営ギャンブル情報を通過させる。無線ＬＡＮ携帯端末１または２ではレースの模様やオッズ情報などの公営ギャンブル情報を再生し、窓口の場合と同様に投票する。このようにすることで移動しながらレースの再生、オッズ情報の獲得、投票行為を行うことができるサービスが得られる。
【００５４】
以上のように本実施の形態によれば、インターネット７上に設置された公営ギャンブル情報配信サーバ１０を備え、公営ギャンブル情報配信サーバ１０は、レースの模様をＭＰＥＧ等の形式で送出したり、オッズ情報を送出し、決裁管理サーバ５は、公営ギャンブルサービスに加入しているサービスが無線ＬＡＮ携帯端末１、２で接続されていると認識した場合、ルータ６で公営ギャンブル情報を通過させることにより、無線ＬＡＮ携帯端末１、２でレースの模様やオッズ情報を再生することができるので、窓口の場合と同様に投票することができ、また、従来は移動しながら観戦や投票が出来なかった公営ギャンブル等の公共サービスの提供を容易に実現することができる。
【００５５】
（実施の形態５）
図５は、本発明の実施の形態５による無線ＬＡＮ携帯端末システムを示す構成図であり、本システムを従来の通信インフラと共存させる場合を示す。
【００５６】
図５において、構成要素１〜７、１３は図１と同様のものなので、同一符号を付し、説明は省略する。１１は無線ＬＡＮに対応するトリプル携帯端末、１２は通信インフラ用アンテナである。
【００５７】
図５において、トリプル携帯端末１１に対して、従来の通信インフラであるＰＤＣ（ＮＴＴドコモ）／ｃｄｍａ（ａｕ）プラスＰＨＳの機能を付加し、音声通話の場合はＰＤＣ／ｃｄｍａを使い、無線ＬＡＮインフラが整備されていないところでデータ通信を行う場合は通信インフラ用アンテナ１２と送受信を行うＰＨＳを使うように自動的に選択する。このようにすることで、従来のような音声通信から大容量データ通信までを一つの携帯端末で実現するサービスが得られる。
【００５８】
以上のように本実施の形態によれば、無線ＬＡＮ携帯端末１、２は、ＰＤＣ／ｃｄｍａプラスＰＨＳの機能が付加されたことにより、まだ無線ＬＡＮサービスが行われていないエリアでは従来のインフラを使用することができる。
【００５９】
【発明の効果】
以上説明したように本発明の請求項１に記載の無線ＬＡＮ携帯端末システムによれば、無線ＬＡＮ等の無線通信インフラに対応しユーザコードを発信できる無線ＬＡＮ携帯端末と、屋内または屋外に設置され無線ＬＡＮ携帯端末がアクセスする複数の無線ＬＡＮアクセスポイントと、接続管理等を行う決裁管理サーバと、無線ＬＡＮアクセスポイントと決裁管理サーバとが接続された通信インフラと、通信インフラとインターネットとを接続すると共にデータの流れを制御するルータとを有することにより、無線ＬＡＮ携帯端末が発信するユーザコードを屋内外に設置する無線ＬＡＮアクセスポイントを介して決裁管理サーバに送ることができるので、決裁管理サーバで通信が許可された場合は、ルータを介して無線ＬＡＮ携帯端末とインターネットとの間でデータ通信を行うことができるという有利な効果が得られる。
【００６０】
請求項２に記載の無線ＬＡＮ携帯端末システムによれば、請求項１に記載の無線ＬＡＮ携帯端末システムにおいて、無線ＬＡＮ携帯端末と無線ＬＡＮアクセスポイントとは互いにランダムなフレーズを送受信し、無線ＬＡＮ携帯端末とルータとは互いに固有のＩＤを付加したパケットデータを送受信し、決裁管理サーバは、複数の無線ＬＡＮアクセスポイントの各々でパケット量を集計して一括管理することにより、ユーザコード等の認証情報を保護することができると共に集計し管理しているパケット量を種々の用途（例えば時間データとリンクさせて位置情報管理に用いること）に応用することができるので、無線ＬＡＮ携帯端末システムにおける認証レベルの向上を図ることができるという有利な効果が得られる。
【００６１】
請求項３に記載の無線ＬＡＮ携帯端末システムによれば、請求項１または２に記載の無線ＬＡＮ携帯端末システムにおいて、無線ＬＡＮアクセスポイントを有料施設の出入口に設置し、無線ＬＡＮアクセスポイントが発信しているデータの中に固有コードを格納し、無線ＬＡＮ携帯端末は発信しているデータを受信した際に画面上に受信したデータの示す料金支払い案内を表示することにより、無線ＬＡＮ携帯端末が料金支払いを了承した場合、その了承の情報を決裁管理サーバに記録することができると共に、施設のゲートを開くことができるので、有料施設の課金および出入口制御を行うことが可能になるという有利な効果が得られる。
【００６２】
請求項４に記載の無線ＬＡＮ携帯端末システムによれば、請求項１乃至３のいずれか１に記載の無線ＬＡＮ携帯端末システムにおいて、無線ＬＡＮアクセスポイントは、施設内に設置され、施設内に入ってきた無線ＬＡＮ携帯端末に対して施設情報を送出し、無線ＬＡＮ携帯端末は施設情報の示す案内メニュー画面を表示することにより、無線ＬＡＮ携帯端末にて適宜、メニューの選択またはキーワードの検索を行うことができ、詳細な案内情報を取得することができるので、施設情報がユーザのニーズに応じて適切に提供されるという有利な効果が得られる。
【００６３】
請求項５に記載の無線ＬＡＮ携帯端末システムによれば、請求項１乃至４のいずれか１に記載の無線ＬＡＮ携帯端末システムにおいて、インターネット上に設置された緊急情報配信サーバを備え、緊急情報配信サーバは送出するデータに固有コードを格納し、ルータは、固有コードが格納されたデータを認識すると、無線ＬＡＮアクセスポイントへ固有コードが格納されたデータを送信し、無線ＬＡＮ携帯端末は、固有コードが格納されたデータを受信すると、受信したデータの示す最優先アラートを行うことにより、最優先アラートにより警告を受けた利用者は、無線ＬＡＮ携帯端末において情報を再生して、緊急情報を知ることができるので、例え屋外にいたとしても従来のラジオなどの機器を使う場合より多くの緊急情報を知ることができるという有利な効果が得られる。
【００６４】
請求項６に記載の無線ＬＡＮ携帯端末システムによれば、請求項１乃至５のいずれか１に記載の無線ＬＡＮ携帯端末システムにおいて、無線ＬＡＮ携帯端末は、電話帳情報などの情報を無線ＬＡＮアクセスポイント経由で他の無線ＬＡＮ携帯端末に転送することにより、遠隔地の相手無線ＬＡＮ携帯端末に対して、特別なハードウェアなしで、自己の無線ＬＡＮ携帯端末のデータを転送することができるという有利な効果が得られる。
【００６５】
請求項７に記載の無線ＬＡＮ携帯端末システムによれば、請求項１乃至６のいずれか１に記載の無線ＬＡＮ携帯端末システムにおいて、インターネット上に設置された公営ギャンブル情報配信サーバを備え、公営ギャンブル情報配信サーバは、レースの模様をＭＰＥＧ等の形式で送出したり、オッズ情報を送出し、決裁管理サーバは、公営ギャンブルサービスに加入しているサービスが無線ＬＡＮ携帯端末で接続されていると認識した場合、ルータで公営ギャンブル情報を通過させることにより、無線ＬＡＮ携帯端末でレースの模様やオッズ情報を再生することができるので、窓口の場合と同様に投票することができ、また、従来は移動しながら観戦や投票が出来なかった公営ギャンブル等の公共サービスの提供を容易に実現することができるという有利な効果が得られる。
【００６６】
請求項８に記載の無線ＬＡＮ携帯端末システムによれば、請求項１乃至７のいずれか１に記載の無線ＬＡＮ携帯端末システムにおいて、無線ＬＡＮ携帯端末は、ＰＤＣ／ｃｄｍａプラスＰＨＳの機能が付加されたことにより、まだ無線ＬＡＮサービスが行われていないエリアでは従来のインフラを使用することができるという有利な効果が得られる。
【図面の簡単な説明】
【図１】本発明の実施の形態１による無線ＬＡＮ携帯端末システムを示す構成図
【図２】本発明の実施の形態２による無線ＬＡＮ携帯端末システムを示す構成図
【図３】本発明の実施の形態３による無線ＬＡＮ携帯端末システムを示す構成図
【図４】本発明の実施の形態４による無線ＬＡＮ携帯端末システムを示す構成図
【図５】本発明の実施の形態５による無線ＬＡＮ携帯端末システムを示す構成図
【符号の説明】
１、２　無線ＬＡＮ携帯端末
３、４　無線ＬＡＮアクセスポイント
５　決裁管理サーバ
６　ルータ
７　インターネット
８　施設案内サーバ
９　緊急情報配信サーバ
１０　公営ギャンブル情報配信サーバ
１１　トリプル携帯端末
１２　通信インフラ用アンテナ
１３　通信インフラ
【図１】
2004015273.tif 000003
【図２】
2004015273.tif 000004
【図３】
2004015273.tif 000005
【図４】
2004015273.tif 000006
【図５】
2004015273.tif 000007